(57)【要約】【課題】本発明の課題は、収穫作業効率及び生産性を向上させるために、果実等を傷付けることなく一回の切断で容易に収穫することができる採果鋏を提供することである。【解決手段】本発明による採果鋏は、二つの握り片と、その先端に枢軸部を介して一体に繋がった鋏の刃である二つの鋏刃を備え、握り片と鋏刃の対は、枢軸部によって回転可能に軸支され、鋏刃は、鋏刃の面に平行な方向から見て、枢軸部のある側から先端に掛けてＷ字のごとく、採果される果実の表曲面の凸形状に倣い接触するように中央部が上に凸になった形状を有し、鋏刃の一方は、鋏刃の面に直角な方向から見て、果実の果硬枝を導くように、果硬枝を通す凹みを有している。【選択図】図１
2014068618.tif 000002
【特許請求の範囲】
【請求項１】
二つの握り片と、各々の先端に軸支部を介して一体に繋がった鋏の刃である二つの鋏刃を備え、前記握り片と前記鋏刃の対は、前記軸支部によって回転可能に軸支され、
前記握り片を握る動作によって、前記鋏刃は互いに咬みあって果実の果硬枝を切断する鋭利な刃を備え、前記鋏刃の面に平行な方向から見て、前記軸支部のある側から前記鋏刃の先端に掛けてＷ字型又は山なり型の断面形状を有し、その結果、前記鋏刃の中央部が上に凸になった形状により、採果される前記果実の表曲面の凸形状に倣い接触することで、前記果実の表曲面に倣って前記果実に付いた果硬枝を切断可能としたことを特徴とする採果鋏。
【請求項２】
少なくとも一方の前記鋏刃の有する前記刃は、前記果硬枝を導き通すための凹部を備えたことを特徴とする請求項１記載の採果鋏。
【請求項３】
前記握り片の各々は、前記握り片の両者が存在する面に直角な方向に曲がることが可能
なように相互に回転可能な回転結合をした傾斜自在手段で結合された２片で構成されたことを特徴とする請求項１または請求項２に記載の採果鋏。
【発明の詳細な説明】
【技術分野】
【０００１】
本発明は、果実等を収穫する時に用いる採果鋏に関するものである。
【背景技術】
【０００２】
従来、採果鋏の刃部は、特許文献１（図４の４−Ａ）に見られるような平面状の１対の刃が咬み合うもので、刃先形状は平刃であった。これらの刃部はエッジに凹凸のあるものはあっても咬み合う刃部自体は１対の、枢着軸に直角な平面に平行な平面刃である為、果物を傷付けずに採果するには注意を要し、しばしば、その刃先が果物に突き刺さって果物を傷付けてしまい、果物の商品価値を著しく損なうという問題点があった。そのため、安全策として果実ぎりぎりのところで切り離す事を避け、果実から離れたところで枝から切り離す状況となっていた。しかし、収穫した果実側に枝が残っていると、その切り口が収穫した他の果実を傷つけてしまうため、枝を残さないように果実ぎりぎりのところで再度枝を切る「二度切り」の必要があった。また、この方法だと「果硬枝」といわれる再び果実がなる部分を枝から大きく切り取ってしまい、生産の安定継続性にも悪影響を与えてしまうという問題点があった。
【０００３】
これらの問題点を改善する為、特許文献２（図４の４−Ｂ）に見られるような刃先の部分が丸みを帯び、尚且つ枢着軸方向に湾曲したものが考案されたが、切断する時に枝が刃先方向に逃げてしまい、一握りで確実に切断することが難しかった。この切断する時に枝が刃先から逃げないようにする為、特許文献３（図４の４−Ｃ）では、１対の刃先の一方の先端に枝を引き留めるツメを設けたものが考案されたが、ツメは刃の先端部分にある為、その部分に引っ掛けて切断しようとすると、刃先だけでの切断となる為、大きな握力を持続的に必要とする問題点があった。また、特許文献４（図４の４−Ｄ）に見られるような、１対の刃先の一方に回転可能に支持された円形の回転刃を持つものも考案されたが、こちらも枝を押切るように切断する為、大きな握力を必要とし、長時間に渡り収穫作業を継続することは難しかった。さらに、メンテナンスにおいても、通常の刃よりも構造的に複雑な回転刃である為、研ぎ直しや破損した場合の補修も手間がかかるという問題点があった。
【先行技術文献】
【特許文献】
【０００４】
【特許文献１】特開  H０５−２０７８２０
【特許文献２】特開２０００−０６０３０４
【特許文献３】特開  H０９−２５３３５０
【特許文献４】特開２００３−１１７２６５
【発明の概要】
【発明が解決しようとする課題】
【０００５】
本発明の課題は、収穫作業効率及び生産性を向上させるために、果実等を傷付けることなく一回の切断で容易に収穫することができる採果鋏を提供することである。
【課題を解決するための手段】
【０００６】
本発明による採果鋏は、二つの握り片と、その先端に軸支部を介して一体に繋がった鋏の刃である二つの鋏刃を備え、握り片と鋏刃の対は互いに、軸支部によって回転可能に軸支され、鋏刃は、鋏刃の面に平行な方向から見て、軸支部のある側から先端に掛けてＷ字又は山なり形状であり、その結果、採果される果実の表曲面の凸形状に倣い接触するように中央部が上に凸になった形状を有し、鋏刃の一方は、鋏刃の表面に直角な方向から見て、果実の果硬枝を導くように、果硬枝を通す凹みを有している。以下、請求項に沿って記述する。
【０００７】
請求項１記載の発明は、採果鋏であって、
二つの握り片と、各々の先端に軸支部を介して一体に繋がった鋏の刃である二つの鋏刃を備え、前記握り片と前記鋏刃の対は、前記軸支部によって回転可能に軸支され、
前記握り片を握る動作によって、前記鋏刃は互いに咬みあって果実の果硬枝を切断する鋭利な刃を備え、前記鋏刃の面に平行な方向から見て、前記軸支部のある側から前記鋏刃の先端に掛けてＷ字型又は山なり型の断面形状を有し、その結果、前記鋏刃の中央部が上に凸になった形状により、採果される前記果実の表曲面の凸形状に倣い接触することで、前記果実の表曲面に倣って前記果実に付いた果硬枝を切断可能としたことを特徴とする。
【０００８】
請求項２記載の発明は、請求項１記載の採果鋏において、
少なくとも一方の前記鋏刃の有する前記刃は、前記果硬枝を導き通すための凹部を備えたことを特徴とする。
【０００９】
請求項３記載の発明は、請求項１または請求項１に記載の採果鋏において、
前記握り片の各々は、前記握り片の両者が存在する面に直角な方向に曲がることが可能
なように相互に回転可能な回転結合をした傾斜自在手段で結合された２片で構成されたことを特徴とする
。
【発明の効果】
【００１０】
以上の様に構成されているので、本発明による採果鋏は、果実等を一回の切断で傷付けることなく容易に収穫を行うことが可能となり、収穫作業効率及び生産性の向上に寄与する。
【図面の簡単な説明】
【００１１】
【図１】本発明に係る採果鋏の一実施態様を示す図である。
【図２】本発明に係る採果鋏に適用して好都合な倍力構造と各種握り部の実施態様を示す図である。
【図３】本発明に係る採果鋏において、握り部に適用して好都合な傾斜自在手段を備えた一実施態様を示す図である。
【図４】従来の採果鋏を示す図である。
【発明を実施するための形態】
【００１２】
本発明による採果鋏は、二つの握り片と、その先端に軸支部を介して一体に繋がった鋏の刃である二つの鋏刃を備え、握り片と鋏刃の対は、軸支部によって回転可能に軸支され、
鋏刃は、鋏刃の面に平行な方向から見て、軸支部のある側から先端に掛けてＷ字又は山なり型の形状であり、その結果、採果される果実の表曲面の凸形状に倣い接触するように中央部が上に凸になった形状を有し、鋏刃の一方は、鋏刃の面に直角な方向から見て、果実の果硬枝を導くように、果硬枝を通す凹みを有していることを特徴としている。
以下図に沿って説明する。
【００１３】
図１は、本発明に係る採果鋏の一実施態様を示す図である。本採果鋏は、鋏固有の構成を有している。すなわち、手で握るところの二つの握り片１１０Ａ、握り片１１０Ｂと、
握り片１１０Ａ、握り片１１０Ｂの先端に第一の軸支部１２０を介して一体に繋がった鋏の刃である二つの鋏刃１３０Ａ、１３０Ｂを備えている。第一の軸支部１２０は、握り片１１０Ａと鋏刃１３０Ａからなる一片（Ａ片とする）と握り片１１０Ｂと鋏刃１３０Ｂからなる一片（Ｂ片とする）を回転軸を持って軸支するもので、握り片１１０Ａ、１１０Ｂの握り動作に対応して小角度の回転が自在になされ、その結果、握りを行うと、鋏刃１３０Ａと鋏刃１３０Ｂが狭まって咬みあい、切断動作をもたらすものである。握り片１１０Ａ、１１０Ｂの間には、復元弾性体１１１が備えてあり、握り動作を止めると、元に戻ることが都合がよい。尚、復元弾性体１１１の種類は、図１に示したような板を螺旋状に巻いたばねでも良いし、板ばねや蔓巻きばね等、様々な形態のばねを用いても良い。その他の実施態様として、ばねを使用せず、前記把持部の相対する部分に、それぞれ磁石を一つずつ取り付け、磁力の反発を用いても良い。
【００１４】
鋏が切れる必要があるので、Ａ−Ａ断面で切った鋏刃１３０Ａ、１３０Ｂの断面は１−Ｂに示すように、互いに向き合う先端は鋭利（尖って）である。１−Ｃには、本発明に係る採果鋏の特徴である鋏刃１３０Ａ、１３０Ｂの形状を示している。尚、１−Ｄは、１−Ｃの部分を斜視図で示したものである。１−Ｃでは、１−Ａにおいて、矢印の方向から見た形状となっている。図において軸支部１２０から右側（鋏刃の先端方向）に行くに連れて、鋏刃１３０Ａ、１３０Ｂともに、一旦下方向に降り、刃の中間部１３１では再度上がって、更に降り、先端では又上がった形状（Ｗ型）となっている。中間部の上昇により上に凸なので、結果として下側に窪み１３２が形成され、この窪み表面が果実の果硬枝が付いた周辺の表曲面に密接触することになる。従って、縦方向にガイドしながら果実ギリギリまで刃体を下げた位置で切断を行う時、前記凸面部分の裏側が果実表面の曲面に接してガイドストッパの役割を果たすため、果実の表曲面にマッチして果硬枝を出っ張り無く切断でき、果実を傷つけたり果硬枝を余分に多く切り取ることなく、一度の切断で容易に収穫する事が可能となる。１−Ｅには、１−ＣのＷ型形状に対して山なり型の形状を示している。これも中間部において上に凸になり、結果として下側に窪み１３２が形成されている。
尚、鋏刃１３０Ａ、１３０Ｂの先端部分は、採果時に果実を傷つけないように丸くしてある方が好都合である。
【００１５】
図２は、本発明に係る採果鋏に適用して好都合な倍力構造と各種握り部の実施態様を示す図である。図１の握り片１１０Ａ、１１０Ｂにおいて、より小さな力で果硬枝が切れるようにするものである。倍力構造は、よく知られた手段であるが、適用して好都合であり、この場合には、握り片１１０Ａ、握り片１１０Ｂは以下のようになっている。
第一の軸支部１２０で回転自在に軸支された適当な長さの小片２１０Ａ、小片２１０Ｂがあり、小片２１０Ａ、小片２１０Ｂに各々、第二の握り片２２０Ａ、２２０Ｂが第二の軸支部２３０Ａ、２３０Ｂで回転自在に軸支され、更に、第二の軸支部２３０Ａ、２３０Ｂに近い第二の握り片２２０Ａ、２２０Ｂの先端部２４０Ａ、２４０Ｂが互いに第三の軸支部２５０で回転自在に軸支されている。尚、図１での復元弾性体１１１は、第二の握り片２２０Ａ、２２０Ｂの間に備えてある。２−Ａでは、第二の握り片２２０Ａ、２２０Ｂが図１の握り片１１０Ａ、１１０Ｂと同じであるが、２−Ｂ、２−Ｃでは、使用時に指を入れる指穴２６０、指を掛ける波型の凹凸形状部２６１を有するものである。これらの形状は、図１のように倍力構造が無いものにも適用できることは当然である。
このように、前記把持部は、収穫する果実の種類や用途に応じて様々な形状を用いても良い。また、前記把持部に使用する素材については、金属、樹脂、その他、切断時に変形しない強度を持つ素材であれば、様々な素材を用いても構わない。
【００１６】
尚、２−Ｂと２−Ｃに限ったことではないが、握り片１１０Ａ、握り片１１０Ｂや、第二の握り片２２０Ａ、２２０Ｂの両者の先端の間を係止する開放防止のためのストッパ２６２とこれを引っ掛ける留め部２６３を備えた例を２−Ｂ、２−Ｃには示している。
【００１７】
図３は、本発明に係る採果鋏において、握り部に適用して好都合な傾斜自在手段を備えた一実施態様を示す図である。
握り片１１０Ａ、１１０Ｂ又は、第二の握り片２２０Ａ、２２０Ｂが両者とも各々その途中で２つの片に別れ、回転結合部３１０を介して回転自在に繋がっている。この回転結合部３１０により、握り片１１０Ａ、１１０Ｂ又は、第二の握り片２２０Ａ、２２０Ｂの両者が存在する面に直角な方向に曲がることが可能であり、果実の位置にかかわらず作業が容易となる。この曲がりが無い場合には、果硬枝のついた果実面に採果鋏を当てた場合には、果実面に平行な方向に握り片１１０Ａ、１１０Ｂ又は、第二の握り片２２０Ａ、２２０Ｂが伸びているので、果実と作業者の位置関係によっては作業しにくいことになる。
【００１８】
【産業上の利用可能性】
【００１９】
以上のように本発明による採果鋏は、果実等を傷付けることなく一回の切断で容易に収穫することができ、収穫作業効率及び生産性を向上させることが可能となる為、産業上の利用性が極めて大きい。
【符号の説明】
【００２０】
１１０Ａ、１１０Ｂ  握り片
１１１  復元弾性体
１２０  第一の軸支部
１３０Ａ、１３０Ｂ  鋏刃
１３１  刃の中間部
１３２  窪み
２１０Ａ、２１０Ｂ  小片
２２０Ａ、２２０Ｂ  第二の握り片
２３０Ａ、２３０Ｂ  第二の軸支部
２４０Ａ、２４０Ｂ  先端部
２５０  第三の軸支部
２６０  指穴
２６１  凹凸形状部
２６２  ストッパ
２６３  留め部
３１０  回転結合部
【図１】
2014068618.tif 000003
【図２】
2014068618.tif 000004
【図３】
2014068618.tif 000005
【図４】
2014068618.tif 000006